(57)【要約】      （修正有）【課題】コンパクトに収納することができ、フック部材を強固に取り付けることができ、かつ床面や天井を痛めずに強力に突っ張ることが可能な突っ張り棒ハンガーを提供する。【解決手段】下部ハンガー部と、上部ハンガー部と、連結部材とを含む。下部ハンガー部は、分離連結可能な下部パイプ部材と、下部パイプ部材の周面に取り付けられた複数のフック部材と、下部パイプ部材の下端部に螺着し床面に当接する下部ジャッキ部材とを有する。上部ハンガー部は、上部パイプ部材と、上部パイプ部材の周面に取り付けられた複数のフック部材と、上部パイプ部材の上端部に抜き差し自在に挿着され、内部にスプリング体を有し天井に当接する上部当接面が取り付けられた上部スプリング部材とを有する。連結部材は、下部パイプ部材の上端部と上部パイプ部材の下端部とを分離連結可能に連結する。【選択図】図１
0003163339.tif 000002
【実用新案登録請求の範囲】
【請求項１】
少なくとも２つのセクションに分離連結可能な下部パイプ部材と、前記下部パイプ部材の周面に取り付けられた複数のフック部材と、前記下部パイプ部材の下端部に螺着せしめられ床面に当接せしめられる下部ジャッキ部材と、を有する下部ハンガー部と、上部パイプ部材と、前記上部パイプ部材の周面に取り付けられた複数のフック部材と、前記上部パイプ部材の上端部に抜き差し自在に挿着され、内部にスプリング体を有し天井に当接せしめられる上部当接面が取り付けられた上部スプリング部材と、を有する上部ハンガー部と、前記下部パイプ部材の上端部と前記上部パイプ部材の下端部とを分離連結可能に連結するための連結部材と、を含み、前記下部ジャッキ部材が、螺子溝を形成した回動ハンドル部と前記回動ハンドル部に取り付けられた下部当接面とを有し、前記回動ハンドル部を回動せしめることで前記下部当接面が床面に接離自在とされており、前記上部当接面が、前記下部当接面が床面に当接せしめられた際に前記上部スプリング部材のスプリング体によって弾性支持されてなり、前記フック部材が、前記下部パイプ部材又は前記上部パイプ部材の周面に取り付けられたストッパ部材と螺合せしめられることにより、前記下部パイプ部材又は前記上部パイプ部材の周面に取り付けられることを特徴とする突っ張り棒ハンガー。
【請求項２】
前記下部パイプ部材が、下端に受け座を有する第一下部パイプ部材と、上端に受け座を有する第二下部パイプ部材とを連結してなることを特徴とする請求項１記載の突っ張り棒ハンガー。
【請求項３】
前記上部パイプ部材が、少なくとも２つのセクションに分離連結可能とされてなり、前記分離連結可能とされた上部パイプ部材が、下端に螺子溝を有する第一上部パイプ部材と、上端に螺子溝を有する第二上部パイプ部材とを含み、第一上部パイプ部材と第二上部パイプ部材とを螺着せしめてなることを特徴とする請求項１又は２記載の突っ張り棒ハンガー。
【考案の詳細な説明】
【技術分野】
【０００１】
本考案は、床面と天井との間に突っ張った状態で使用し、雑貨や衣類などを掛けられるようにした突っ張り棒ハンガーに関する。
【背景技術】
【０００２】
従来、床面と天井との間に突っ張った状態で使用し、雑貨や衣類などを掛けられるようにした突っ張り棒ハンガーとして、例えば特許文献１や特許文献２に開示されたものが知られている。
【０００３】
しかしながら、従来の突っ張り棒ハンガーは、ある程度の長さがあるため、収納の際に嵩張るという問題があった。
【０００４】
また、突っ張り棒ハンガーのフック部材の取り付け強度にも問題があった。
【０００５】
さらに、突っ張り力をあまり強力にすると、床面や天井を痛めてしまうおそれがあった。
【先行技術文献】
【特許文献】
【０００６】
【特許文献１】実開平７−３４７４８
【特許文献２】実用新案登録第３１５２８５７号
【考案の開示】
【考案が解決しようとする課題】
【０００７】
本考案は、上記従来技術の問題点に鑑みてなされたもので、コンパクトに収納することができ、フック部材を強固に取り付けることができ、かつ床面や天井を痛めずに強力に突っ張ることが可能な突っ張り棒ハンガーを提供することを目的とする。
【課題を解決するための手段】
【０００８】
上記課題を解決するために、本考案の突っ張り棒ハンガーは、少なくとも２つのセクションに分離連結可能な下部パイプ部材と、前記下部パイプ部材の周面に取り付けられた複数のフック部材と、前記下部パイプ部材の下端部に螺着せしめられ床面に当接せしめられる下部ジャッキ部材と、を有する下部ハンガー部と、上部パイプ部材と、前記上部パイプ部材の周面に取り付けられた複数のフック部材と、前記上部パイプ部材の上端部に抜き差し自在に挿着され、内部にスプリング体を有し天井に当接せしめられる上部当接面が取り付けられた上部スプリング部材と、を有する上部ハンガー部と、前記下部パイプ部材の上端部と前記上部パイプ部材の下端部とを分離連結可能に連結するための連結部材と、を含み、前記下部ジャッキ部材が、螺子溝を形成した回動ハンドル部と前記回動ハンドル部に取り付けられた下部当接面とを有し、前記回動ハンドル部を回動せしめることで前記下部当接面が床面に接離自在とされており、前記上部当接面が、前記下部当接面が床面に当接せしめられた際に前記上部スプリング部材のスプリング体によって弾性支持されてなり、前記フック部材が、前記下部パイプ部材又は前記上部パイプ部材の周面に取り付けられたストッパ部材と螺合せしめられることにより、前記下部パイプ部材又は前記上部パイプ部材の周面に取り付けられることを特徴とする。
【０００９】
前記下部パイプ部材又は前記上部パイプ部材の材質としてはステンレススチールが好適である。前記フック部材、前記下部ジャッキ部材、前記ストッパ部材、及び前記連結部材等の材質としては合成樹脂が好ましい。
【００１０】
なお、合成樹脂としては、特別の限定はなく、プラスチック等の合成樹脂、例えば、塩化ビニル樹脂、ポリプロピレン、ポリスチレン等の種々の材料が適用可能である。
【００１１】
すなわち、突っ張り棒ハンガーは、前記下部パイプ部材が少なくとも２つのセクションに分離連結可能であり、前記上部パイプ部材と併せて、少なくとも３つのセクションのパイプ部材に分離連結可能とされているため、コンパクトな収納が可能である。
【００１２】
前記下部パイプ部材が、下端に受け座を有する第一下部パイプ部材と、上端に受け座を有する第二下部パイプ部材とを連結してなるのが好適である。
【００１３】
また、前記上部パイプ部材が、少なくとも２つのセクションに分離連結可能とされてなり、前記分離連結可能とされた上部パイプ部材が、下端に螺子溝を有する第一上部パイプ部材と、上端に螺子溝を有する第二上部パイプ部材とを含み、第一上部パイプ部材と第二上部パイプ部材とを螺着せしめてなるのがさらに好適である。
【００１４】
このようにすれば、前記下部パイプ部材が少なくとも２つのセクションに分離連結可能であり、前記上部パイプ部材も少なくとも２つのセクションに分離連結可能となるので、少なくとも４つのパイプ部材に分離連結可能となるので、例えば、各パイプ部材をそれぞれ９０ｃｍ以下とすることができ、コンパクトな収納が可能となる。
【考案の効果】
【００１５】
本考案によれば、コンパクトに収納することができ、フック部材を強固に取り付けることができ、かつ床面や天井を痛めずに強力に突っ張ることが可能な突っ張り棒ハンガーを提供することができるという著大な効果を奏する。
【考案を実施するための形態】
【００１６】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【図面の簡単な説明】
【００１７】
【図１】本考案に係る突っ張り棒ハンガーの一つの実施の形態を示す側面図である。
【図２】図１に係る突っ張り棒ハンガーの分解図である。
【図３】図１に係る突っ張り棒ハンガーの要部拡大分解図である。
【図４】図１に係る突っ張り棒ハンガーの要部拡大分解図である。
【図５】図１に係る突っ張り棒ハンガーの要部拡大分解図である。
【００１８】
図において、符号１０は突っ張り棒ハンガーの一つの実施の形態を示す。本考案の突っ張り棒ハンガー１０は、下部ハンガー部１２と上部ハンガー部１４と、を含んでいる。
【００１９】
図１及び図２によく示される如く、下部ハンガー部１２は、少なくとも２つのセクション１６，１８に分離連結可能な下部パイプ部材２０と、前記下部パイプ部材２０の周面に取り付けられた複数のフック部材２２と、前記下部パイプ部材２０の下端部に螺着せしめられ床面に当接せしめられる下部ジャッキ部材２４と、を有している。
【００２０】
上部ハンガー部１４は、上部パイプ部材２６と、前記上部パイプ部材２６の周面に取り付けられた複数のフック部材２２と、前記上部パイプ部材２６の上端部に抜き差し自在に挿着され、内部にスプリング体２８を有し天井に当接せしめられる上部当接面３０が取り付けられた上部スプリング部材３２と、を有している。
【００２１】
上部スプリング部材３２は、図３によく示される如く、第一上部パイプ部材４０の上端部に設けられており、外筒部材５４の内部にスプリング体２８を有し、外筒部材５４の端部に上部当接面３０が取り付けられている構成とされている。これにより、上部スプリング部材３２と下部ジャッキ部材２４とが関連協働して床面や天井を痛めずに強力に突っ張ることが可能となる。
【００２２】
図示例では、前記上部パイプ部材２６が、少なくとも２つのセクション３４，３６に分離連結可能とされてなり、前記分離連結可能とされた上部パイプ部材２６が、下端に螺子溝３８（雄ねじ）を有する第一上部パイプ部材４０と、上端に螺子溝４２（雌ねじ）を有する第二上部パイプ部材４４とを含み、第一上部パイプ部材４０と第二上部パイプ部材４４とを螺着せしめてなるように構成されている。
【００２３】
このように、前記下部パイプ部材２０が２つのセクションに分離連結可能であり、前記上部パイプ部材２６も２つのセクションに分離連結可能とされているので、少なくとも４つのパイプ部材に分離連結可能とされている。これにより、各パイプ部材をそれぞれ９０ｃｍ以下とすることができ、コンパクトな収納が可能となる。なお図示例では、前記下部パイプ部材２０が２つのセクションに分離連結可能とし、前記上部パイプ部材２６も２つのセクションに分離連結可能とした例を示したが、前記上部パイプ部材２６については、２つのセクションに分離連結可能とせずに一体的に構成してもよい。
【００２４】
下部パイプ部材２０の上端部と前記上部パイプ部材２６の下端部とは連結部材４６で分離連結可能に連結されている。連結部材４６は、下部パイプ部材２０の上端部に固着されており、上部パイプ部材２６の下端部を挿入し、レバー４８を図１の状態のように降ろすことで、下部パイプ部材２０の上端部と前記上部パイプ部材２６の下端部とが連結される。連結部材４６の内部には、変形楕円当接部材（図示は省略）が設けられており、レバーを図１の状態のように降ろすと、前記上部パイプ部材２６の下端部の周面を圧接し、これにより、前記上部パイプ部材２６が抜けなくなる。前記上部パイプ部材２６を抜くとき（分離するとき）は、レバー４８を上に引き上げればよい。
【００２５】
図３によく示される如く、前記上部当接面３０は、前記下部当接面５２が床面に当接せしめられた際に前記上部スプリング部材３２のスプリング体２８によって弾性支持されている。なお、外筒部材５４はキャップ部材６４を介して上部当接面３０に嵌着されている。
【００２６】
符号５６は、下部パイプ部材２０及び上部パイプ部材２６の周面に取り付けられたストッパ部材である。ストッパ部材５６は、図４によく示される如く、フック部材２２を係止するためのものである。ストッパ部材５６の内周面には螺子溝（雌ねじ）が設けられており、前記フック部材２２の螺子溝５８（雄ねじ）と螺合せしめられることにより、前記フック部材２２が前記下部パイプ部材２０又は前記上部パイプ部材２６の周面に取り付けられている。従来の技術では、ゴムなどでフック部材を係止していたが、このように構成することで、フック部材２２を強固に取り付けることができる。
【００２７】
図５によく示される如く、下部ジャッキ部材２４は、内周面に螺子溝（雌ねじ）を形成した回動ハンドル部５０と前記回動ハンドル部５０に取り付けられた下部当接面５２とを有し、前記回動ハンドル部５０を回動せしめることで前記下部当接面５２が床面に接離自在とされている。下部ジャッキ部材２４は、外周面に螺子溝６０（雄ねじ）を有する取付け部材６２を介して下部パイプ部材２０のセクション１８に取り付けられている。
【００２８】
このように構成された突っ張り棒ハンガー１０は、コンパクトに収納することができ、フック部材を強固に取り付けることができ、かつ床面や天井を痛めずに強力に突っ張ることが可能である。
【符号の説明】
【００２９】
１０：突っ張り棒ハンガー、１２：下部ハンガー部、１４：上部ハンガー部、１６，１８，３４，３６：セクション、２０：下部パイプ部材、２２：フック部材、２４：下部ジャッキ部材、２６：上部パイプ部材、２８：スプリング体、３０：上部当接面、３２：上部スプリング部材、３８，４２，５８，６０：螺子溝、４０：第一上部パイプ部材、４４：第二上部パイプ部材、４６：連結部材、４８：レバー、５０：回動ハンドル部、５２：下部当接面、５４：外筒部材、５６：ストッパ部材、６２：取付け部材、６４：キャップ部材。
【図１】
0003163339.tif 000003
【図２】
0003163339.tif 000004
【図３】
0003163339.tif 000005
【図４】
0003163339.tif 000006
【図５】
0003163339.tif 000007